(57)【要約】【課題】複数台のディスペンサユニット間で、充填開始スイッチが操作されたタイミングでガスの充填を順次完了させることが可能で、且つディスペンサユニットの追加が容易なガス供給装置を提供する。【解決手段】ディスペンサユニットの１次圧力に基づき他のディスペンサユニットが充填中であるか否かが判定され、この判定結果に基づきカウンタのカウントアップあるいはカウントダウンが開始される。そして、カウンタのカウント値が０に到達することでガスの充填が開始される。したがって、複数台のディスペンサユニット間で、充填開始スイッチが操作されたタイミングでガスの充填を順次完了させることができる。また、新規ディスペンサユニットの出力信号をとる必要がないので、ディスペンサユニットの追加が容易である。【選択図】図４
2010053882.tif 000002
【特許請求の範囲】
【請求項１】
圧縮されたガスを蓄圧するガス蓄圧手段と、該ガス蓄圧手段に連通されるガス供給路と、該ガス供給路を下流で分岐させて形成された各分岐路と、各分岐路に配設されて被充填タンクにガスを充填するディスペンサユニットと、各分岐路に設けられて各ディスペンサユニットの１次側のガスの圧力を測定する測定手段と、各分岐路に設けられて各分岐路のガスの流通を制御する制御弁と、を有するガス供給装置であって、
各ディスペンサユニットは、
前記測定手段の測定結果に基づき1次側のガスの圧力変化率を算出する算出手段と、該算出手段の算出結果に基づき他のディスペンサユニットが充填中であるか否かを判定する判定手段と、
該判定手段が充填中と判断している場合には前記制御弁の閉弁状態を保持し、該判定手段が充填中でないと判断した場合には前記制御弁を開弁させてガスの充填を開始させる充填開始制御手段と、を有することを特徴とするガス供給装置。
【請求項２】
前記充填開始制御手段は、前記判定手段の判定結果に基づき作動するカウンタを有し、前記判定手段の判定結果に基づき他のディスペンサユニットの充填開始を判知することで前記カウンタのカウントアップを開始させ、前記カウンタのカウントアップ中に充填開始スイッチが操作されることで前記カウンタのカウント値を保持し、さらに、前記判定手段の判定結果に基づき前記他のディスペンサユニットの充填完了を判知することで前記カウンタのカウントダウンを開始し、前記カウンタのカウント値が０に到達することで前記制御弁を開弁してガスの充填が開始することを特徴とする請求項１に記載のガス供給装置。
【請求項３】
前記充填開始制御手段は、前記カウンタのカウントダウン中、前記判定手段の判定結果に基づき他のディスペンサユニットの充填開始を判知することで前記カウンタのカウント値を保持し、前記判定手段の判定結果に基づき他のディスペンサユニットの充填完了を判知することで前記カウンタのカウントダウンを再開することを特徴とする請求項１または２に記載のガス供給装置。
【発明の詳細な説明】
【技術分野】
【０００１】
本発明は、複数台のディスペンサユニットを有するガス供給装置に関する。
【背景技術】
【０００２】
引用文献1には、車両の燃料タンクにＣＮＧ（Compressed natural gass）を供給するガス供給装置の開示がある。このガス供給装置を使用して複数台の車両にＣＮＧ（以下、ガスという）を供給する場合、ガス蓄圧器に連通するガス供給路を、例えば、第１ガス供給路、第２ガス供給路（分岐路）に分岐させ、分岐させた各ガス供給路にそれぞれ第１ディスペンサユニット、第２ディスペンサユニットを設けてガス供給装置を構成する。例えば、第１ディスペンサユニットを使用して車両（以下、第１車両という）へのガスの充填を開始し、第１車両へのガスの充填中、第２ディスペンサユニットを使用して別の車両（以下、第２車両という）へのガスの充填を開始した場合、ガス供給路を流通するガスが、第２車両の燃料タンク内の圧力に誘引される。
【０００３】
なお、第２車両へのガスの供給を開始した時点では、第１車両の燃料タンク内の圧力は、第２車両の燃料タンク内の圧力よりも十分に高いものとする。これにより、第１車両へのガスの充填は、当該第１車両の燃料タンク内の圧力と第２車両の燃料タンク内の圧力とが平衡するまで停止する。その結果、第１車両は、第２車両よりも先にガスの充填を開始したにも拘らず、第２車両と略同時にガスの充填を終えることになる。言い換えると、第２車両への充填を開始したことにより、第１車両への充填に要する時間が延長されるといった問題が発生する。
【０００４】
そこで、一方のディスペンサユニットの充填開始スイッチが操作された時に、他方のディスペンサユニットが充填中である場合、一方のディスペンサユニットを充填待機状態へ移行させ、他方のディスペンサユニットの充填が完了した時点で一方のディスペンサユニットの充填を開始するようにガス供給装置を構成することが考えられる。これにより、ディスペンサユニット間で優先順位を付与することができ、上述した問題点、すなわち、後から充填を開始することにより先に充填を開始した車両への充填時間が延長される問題を解消することが可能になる。
【０００５】
しかしながら、上記のように構成するには、ディスペンサユニット間で充填開始信号、充填完了信号等の信号の授受を行うか、あるいは、各ディスペンサユニットを統括する制御システムが必要になり、製造コストが増大するだけでなく、ディスペンサユニットを追加する場合、新規ディスペンサユニットの出力信号も得る必要があることから、追加は容易ではない。
【特許文献１】特開２００７−１２０６０５号公報
【発明の開示】
【発明が解決しようとする課題】
【０００６】
そこで本発明は、上記事情に鑑みてなされたもので、複数台のディスペンサユニット間で、充填開始スイッチが操作されたタイミングでガスの充填を順次完了させることが可能で、且つディスペンサユニットの追加が容易なガス供給装置を提供することを課題としてなされたものである。
【課題を解決するための手段】
【０００７】
上記課題を解決するために、本発明のガス供給装置は、圧縮されたガスを蓄圧するガス蓄圧手段と、該ガス蓄圧手段に連通されるガス供給路と、該ガス供給路を下流で分岐させて形成された各分岐路と、各分岐路に配設されて被充填タンクにガスを充填するディスペンサユニットと、各分岐路に設けられて各ディスペンサユニットの１次側のガスの圧力を測定する測定手段と、各分岐路に設けられて各分岐路のガスの流通を制御する制御弁と、を有するガス供給装置であって、各ディスペンサユニットは、前記測定手段の測定結果に基づき1次側のガスの圧力変化率を算出する算出手段と、該算出手段の算出結果に基づき他のディスペンサユニットが充填中であるか否かを判定する判定手段と、該判定手段が充填中と判断している場合には前記制御弁の閉弁状態を保持し、該判定手段が充填中でないと判断した場合には前記制御弁を開弁させてガスの充填を開始させる充填開始制御手段と、を有することを特徴とする。
【発明の効果】
【０００８】
複数台のディスペンサユニット間でそれぞれのディスペンサが充填中であるのか否かの通信を行なうことなく、充填開始スイッチが操作されたタイミングでガスの充填を順次完了させることが可能で、且つディスペンサユニットの追加が容易なガス供給装置を提供することができる。
【発明を実施するための最良の形態】
【０００９】
本発明の一実施形態を図１〜図５に基いて説明する。本実施形態では、図１に示されるように、ガス蓄圧部２（ガス蓄圧手段）に連通するガス供給路３を分岐部４で、第１ガス供給路５、第２ガス供給路６、第３ガス供給路７（分岐路）に分岐させ、分岐させた各ガス供給路５、６、７にそれぞれ第１ディスペンサユニット８、第２ディスペンサユニット９、第３ディスペンサユニット１０を設けてガス供給装置１が構成される。また、本実施形態では、車両の燃料タンク１１にＣＮＧ（以下、単にガスという）を充填させる場合を説明する。さらに、各ディスペンサユニット８、９、１０の構造は同一であることから、第１ディスペンサユニット８の構造のみを詳細に説明し、第２ディスペンサユニット９および第３ディスペンサユニット１０の構造の詳細な説明を省略する。なお、各ディスペンサユニット８、９、１０間で同一の構成には同一の名称および符号を付与する。
【００１０】
図２に示されるように、ガス蓄圧部２は、可変圧ガス蓄圧器１２および高圧ガス蓄圧器１３を有する。可変圧ガス蓄圧器１２および高圧ガス蓄圧器１３には、コンプレッサ１４により圧送された高圧のガスが蓄圧される。コンプレッサ１４は、充填圧力が目標値（車両のタンクにガスの充填を完了した際における当該タンク内の圧力）よりも高い圧力のガスが可変圧ガス蓄圧器１２および高圧ガス蓄圧器１３に蓄圧されるまで作動する。そして、充填開始当初は、開閉弁１５が開弁されて可変圧ガス蓄圧器１２から供給されたガスによる車両の燃料タンク１１への充填が行われる。燃料タンク１１の充填圧力が目標値に到達した場合、高圧ガス蓄圧器１３のガスを供給することなくガスの供給が停止される。
【００１１】
ガス供給装置１では、前回のガスの供給から今回のガスの供給までの時間間隔、前回のガス供給開始から前回のガス供給停止までのガス供給時間、前回のガス供給停止から今回のガス供給開始までのコンプレッサ１４の運転時間、のいずれかを予め設定された規定値と比較してガス蓄圧器１２、１３の切換えタイミングを遅延させることで、可変圧ガス蓄圧器１２によるガスの供給を可能な限り延長させる。そして、燃料タンク１１の充填圧力が目標値に到達しないまま車両のタンクに供給しているガスの供給量（流量）が低下した場合、開閉弁１６が開弁されて高圧ガス蓄圧器１３から供給されたガスによる車両の燃料タンク１１への充填が、燃料タンク１１の充填圧力が目標値に到達するまで行われる。このように、ガスの供給源として可能な限り可変圧ガス蓄圧器１２を選択し、高圧ガス蓄圧器１３の使用頻度を減らすことで、コンプレッサ１４による高圧ガス蓄圧器１３へのガスの補給時間が短縮される。
【００１２】
図２に示されるように、第１ディスペンサユニット８（以下、ディスペンサユニット８という）の分岐路５（以下、ガス供給路５という）には、１次圧力計１７、１次圧力センサ１８、流量計１９、開閉弁２０、制御弁２１、温度センサ２２、２次圧力センサ２３、２次圧力計２４、安全弁２５が配設される。また、ガス供給路５のディスペンサユニット８よりも下流（図２における右側）には、緊急離脱カップリング２６を介して充填ホース２７が接続される。充填ホース２７の先端には、燃料タンク１１の被充填側カップリング２８に結合される充填側カップリング２９が設けられる。さらに、燃料タンク１１と被充填側カップリング２８との間には、燃料タンク１１に充填されたガスの逆流を阻止する逆止弁３０が設けられる。
【００１３】
可変圧ガス蓄圧器１２および高圧ガス蓄圧器１３は、コンプレッサ１４により圧縮されたガスが蓄圧され、コンプレッサ１４の吐出口に連通された上流側のガス供給路３１、３２を介して圧縮されたガスが供給される。各ガス供給路３１、３２には、それぞれ電磁開閉弁３３、３４および逆止弁３５、３６が配設される。コンプレッサ１４は、多段圧縮式の圧縮機であり、吸込み口が吸込み経路３７を介して都市ガスの中圧配管３８に連通される。コンプレッサ１４により圧縮されたガスは、電磁開閉弁３３あるいは電磁開閉弁３４のうち開弁された方のガス供給路３１あるいはガス供給路３２を介して可変圧ガス蓄圧器１２あるいは高圧ガス蓄圧器１３に供給される
【００１４】
可変圧ガス蓄圧器１２の下流側のガス供給路３９には、開閉弁１５と逆止弁４０とが配設される。また、高圧ガス蓄圧器１３の下流側のガス供給路４２には、開閉弁１６が設けられる。そして、ガス蓄圧部２の開閉弁１５、１６ならびにディスペンサユニット８の開閉弁２０、制御弁２１は、燃料タンク１１へのガスの充填が開始されることで開弁され、ガスの充填が停止されることで閉弁されることに基づき、各弁１５、１６、２０、２１の開弁から閉弁までの前回のガス供給時間、あるいは、各弁１５、１６、２０、２１の前回の閉弁から開弁までの時間間隔を演算することにより、可変圧ガス蓄圧器１２から供給されるガスの供給量を推測して可変圧ガス蓄圧器１２によるガスの供給を可能な限り延長させることができる。
【００１５】
図３に示されるように、ディスペンサユニット８は、マイクロコンピュータによって構成される制御装置４３を有する。制御装置４３は、１次圧力センサ１８（測定手段）によって単位時間毎（例えば、１秒毎）に測定されるガス供給路５（分岐路）の１次圧力の測定結果PTに基づき当該１次圧力の圧力変化を検出する検出部４９と、該検出部４９によって１次圧力の圧力変化が検出されることで設定時間（後述する圧力変化判定時間）内の１次圧力の変化率を算出する算出部４４（算出手段）と、該算出部４４の算出結果PRに基づき他のディスペンサユニット９、１０が充填中であるか否かを判定する判定部４５（判定手段）と、充填開始制御手段の一部を構成する該判定部４５の判定結果に基づき作動するカウンタ４６と、各種データが格納される記憶部４７（メモリ）を有する。
【００１６】
本実施形態では、判定部４５の判定結果に基づき他のディスペンサユニット９、１０の充填開始を判知することでカウンタ４６のカウントアップが開始され、また、カウンタ４６のカウントアップ中に充填開始スイッチ４８が操作されることでカウンタ４６のカウント値が保持され、さらに、判定部４５の判定結果に基づき他のディスペンサユニット９、１０の充填完了を判知することでカウンタ４６のカウントダウンが開始される。そして、カウンタ４６のカウント値が０に到達することで開閉弁２０、及び制御弁２１が開弁され、これにより、燃料タンク１１へのガスの充填が開始される。
【００１７】
なお、制御装置４３は、判定部４５の判定結果に基づき、他のディスペンサユニット９、１０が待機状態から充填状態へ移行したことを検知することで他のディスペンサユニット９、１０の充填開始を判知し、また、他のディスペンサユニット９、１０が充填状態から待機状態へ移行したことを検知することで他のディスペンサユニット９、１０の充填完了を判知する。
【００１８】
次に、ディスペンサユニット８における制御の流れを図４に示されるフローチャート図に基づき説明する。なお、各ディスペンサユニット９、１０においても制御の流れは同一である。
制御装置４３が起動されると、圧力変化判定時間、すなわち、算出部４４（算出手段）がガス供給路５（分岐路）の１次圧力の変化率を算出するに際して当該１次圧力を見る時間が設定される（図４のステップ１）。さらに、判定部４５（判定手段）が算出部４４（算出手段）の算出結果PRと比較する後述する圧力変化率PS（以下、設定値PSという）が設定される（図４のステップ２）。次に、１次圧力の監視が開始、すなわち、１次圧力センサ１８（測定手段）により単位時間毎に１次圧力PTが測定される（図４のステップ３）。
【００１９】
そして、１次圧力センサ１８による測定結果PTに基づき検出部４９によって１次圧力に圧力変化が監視される（図４のステップ４）。ここで、１次圧力に圧力変化がない場合（図４のステップ４のＮ）、カウンタ４６がリセットされる（図４のステップ５）。次に、充填開始スイッチ４８が操作されているか否かが判定され（図４のステップ６）、充填開始スイッチ４８が操作されていると判定された場合（図４のステップ６のＹ）、即ち、他のディスペンサユニット８でガスの充填が行なわれていない状態で充填開始スイッチ４８が操作された場合には開閉弁２０、及び制御弁２１が開弁されて燃料タンク１１へのガスの充填が開始される（図４のステップ７）。なお、ステップ６において充填開始スイッチ４８が操作されていないと判定された場合（図４のステップ６のＮ）、ステップ４へ戻り、１次圧力の圧力変化の監視が継続される。
【００２０】
一方、ステップ４において１次圧力の圧力変化が検出された場合（図４のステップ４のＹ）、判定部４５による、算出部４４により算出された１次圧力の変化率PRの判定が開始される（図４のステップ８）。まず、カウンタ４６が０であるか否か、すなわち、当該ディスペンサユニット８が充填待機中であるか否かが判定される（図４のステップ９）。ここで、カウンタ４６が０である、すなわち、当該ディスペンサユニット８が待機中でないと判定された場合（図４のステップ９のＹ）、カウンタ４６のカウントアップが開始される（図４のステップ１０）。次に、ステップ１で設定された圧力変化判定時間が経過したか否かが判定され（図４のステップ１１）、圧力変化判定時間が経過したと判定された場合（図４のステップ１１のＹ）、判定部４５により、算出部４４の算出結果PRが設定値PSよりも大きいか否か、すなわち、他のディスペンサユニット９、１０が充填中であるか否かが判定される（図４のステップ１２）。
【００２１】
ここで、判定部４５により、算出部４４の算出結果PRが設定値PSよりも大きい（PR＞PS）、すなわち、他のディスペンサユニット９、１０が充填中であると判定された場合（図４のステップ１２のＹ）、充填開始スイッチ４８が操作されたか否かが判定される（図４のステップ１３）。そして、充填開始スイッチ４８が操作されたと判定された場合（図４のステップＹ）、記憶部４７に充填開始が記憶された後（図４のステップ１４）、カウンタ４６が保持される（図４のステップ１５）。
【００２２】
なお、ステップ９においてカウンタ４６が０でない、すなわち、当該ディスペンサユニット８が待機中であると判定された場合（図４のステップ９のＮ）、ステップ１５へ進みカウンタ４６が保持される。また、ステップ１１において圧力変化判定時間が経過していないと判定された場合（図４のステップ１１のＮ）、ステップ１０へ戻りカウンタ４６のカウントアップが継続される。さらに、ステップ１２において、判定部４５により、算出部４４の算出結果PRが設定値PS以下である（PR≦PS）、すなわち、他のディスペンサユニット９、１０が充填中でないと判定された場合（図４のステップ１２のＮ）、ステップ５へ進みカウンタ４６がリセットされる。そして、ステップ１３において充填開始スイッチ４８が操作されていないと判定された場合（図４のステップ１３のＮ）、ステップ１０へ戻りカウンタ４６のカウントアップが継続される。
【００２３】
次に、圧力変化判定時間が経過したか否かが判定され（図４のステップ１６）、圧力変化判定時間が経過したと判定された場合（図４のステップ１６のＹ）、判定部４５により、算出部４４の算出結果PRが設定値PSよりも大きいか否か、すなわち、他のディスペンサユニット９、１０が充填中であるか否かが判定される（図４のステップ１７）。ここで、判定部４５により、算出部４４の算出結果PRが設定値PS以下である（PR≦PS）、すなわち、他のディスペンサユニット９、１０が充填中でないと判定された場合（図４のステップ１７のＮ）、カウンタ４６のカウントダウンが開始される（図４のステップ１８）。
【００２４】
なお、ステップ１６において圧力変化判定時間が経過していないと判定された場合（図４のステップ１６のＮ）、ステップ１５へ戻りカウンタ４６が保持される。また、ステップ１７において、判定部４５により、算出部４４の算出結果PRが設定値PSよりも大きい（PR＞PS）、すなわち、他のディスペンサユニット９、１０が充填中であると判定された場合（図４のステップ１７のＹ）、ステップ１５へ戻りカウンタ４６が保持される。
【００２５】
次に、圧力変化判定時間が経過したか否かが判定され（図４のステップ１９）、圧力変化判定時間が経過したと判定された場合（図４のステップ１９のＹ）、判定部４５により、算出部４４の算出結果PRが設定値PSよりも大きいか否か、すなわち、他のディスペンサユニット９、１０が充填中であるか否かが判定される（図４のステップ２０）。ここで、判定部４５により、算出部４４の算出結果PRが設定値PS以下である（PR≦PS）、すなわち、他のディスペンサユニット９、１０が充填中でないと判定された場合（図４のステップ２０のＮ）、カウンタ４６が０であるか否か、すなわち、当該ディスペンサユニット８が充填待機中であるか否かが判定される（図４のステップ２１）。ここで、カウンタ４６が０であると判定された場合（図４のステップ２１のＹ）、開閉弁２０、及び制御弁２１が開弁されて燃料タンク１１へのガスの充填が開始される（図４のステップ２２）。
【００２６】
なお、ステップ１９において圧力変化判定時間が経過していないと判定された場合（図４のステップ１９のＮ）、ステップ１８へ戻りカウンタ４６のカウントダウンを継続する。また、ステップ２０において、判定部４５により、算出部４４の算出結果PRが設定値PSよりも大きい（PR＞PS）、すなわち、他のディスペンサユニット９、１０が充填中であると判定された場合（図４のステップ２０のＹ）、ステップ１５へ戻りカウンタ４６が保持される。さらに、ステップ２１においてカウンタ４６が０でないと判定された場合（図４のステップ２１のＮ）、ステップ１８へ戻りカウンタ４６のカウントダウンを継続する。
【００２７】
次に、図５のタイムチャート図に基づき本実施形態の作用を説明する。
t0の時点で各ディスペンサユニット８、９、１０を起動させ、t1の時点で第１ディスペンサユニット８の充填開始スイッチ４８が操作されると、第１ディスペンサユニット８による車両の燃料タンク１１へのガスの充填が開始される。この第１ディスペンサユニット８の充填開始と同時に、各ディスペンサユニット９、１０の各カウンタ４６のカウントアップが開始される。第１ディスペンサユニット８によるガスの充填中、t2の時点で、第２ディスペンサユニット９の充填開始スイッチ４８が操作されることで、第２ディスペンサユニット９のカウンタ４６のカウント値C2が保持される。さらに、t3の時点で、第３ディスペンサユニット１０の充填開始スイッチ４８が操作されることで、第３ディスペンサユニット１０のカウンタ４６のカウント値C3が保持される。
【００２８】
ここで、第２ディスペンサユニット９のカウンタ４６のカウント値C2と、第３ディスペンサユニット１０のカウンタ４６のカウント値C3とを比較するとC3＞C2であることがわかる。そして、第１ディスペンサユニット８によるガスの充填が完了すると、t4の時点で、各ディスペンサユニット８、１０の各カウンタ４６のカウントダウンが開始される。t4の時点で、第２ディスペンサユニット９のカウンタ４６のカウント値C2が第３ディスペンサユニット１０のカウンタ４６のカウント値よりも小さい（C3＞C2）ことから、t5の時点で、第２ディスペンサユニット９のカウンタ４６のカウント値が第３ディスペンサユニット１０のカウンタ４６のカウント値に対して先に０に到達する。
【００２９】
そして、t5の時点で、第２ディスペンサユニット９のカウンタ４６のカウント値が０に到達することで、第２ディスペンサユニット９によるガスの充填が開始される。この第２ディスペンサユニット９によるガスの充填開始と同時に、第３ディスペンサユニット１０のカウンタ４６のカウント値（C3-C2）が保持されると共に、第１ディスペンサユニット８のカウンタ４６のカウントアップが開始される。そして、第２ディスペンサユニット９によるガスの充填が完了すると、t6の時点で、第３ディスペンサユニット１０のカウンタ４６のカウントダウンが開始されると共に、第１ディスペンサユニット８のカウンタ４６がリセットされる。
【００３０】
そして、t6の時点で、（C3-C2）に保持されていた第３ディスペンサユニット１０のカウンタ４６のカウント値がt7の時点で０に到達すると、第３ディスペンサユニット１０によるガスの充填が開始される。この第３ディスペンサユニット１０によるガスの充填開始と同時に、各ディスペンサユニット８、９の各カウンタ４６のカウントアップが開始される。
【００３１】
この実施形態では以下の効果を奏する。
本実施形態によれば、ディスペンサユニット８は、判定部４５（判定手段）の判定結果に基づき他のディスペンサユニット９、１０の充填開始を判知することでカウンタ４６のカウントアップを開始し、カウンタ４６のカウントアップ中、充填開始スイッチ４８が操作されることでカウンタ４６のカウント値が保持され、さらに、判定部４５の判定結果に基づき他のディスペンサユニット９、１０の充填完了を判知することでカウンタ４６のカウントダウンが開始され、カウンタ４６のカウント値が０に到達することで開閉弁２０、及び制御弁２１が開弁されてガスの充填が開始される。そして、カウンタ４６のカウントダウン中、判定部４５の判定結果に基づき他のディスペンサユニット９、１０の充填開始を判知することでカウンタ４６のカウント値が保持され、さらに、判定部４５の判定結果に基づき他のディスペンサユニット９、１０の充填完了を判知することでカウンタのカウントダウンが再開され、カウンタ４６のカウント値が０に到達することで開閉弁２０、及び制御弁２１が開弁されてガスの充填が開始される。
したがって、本実施形態のガス供給装置１は、複数台のディスペンサユニット８、９、１０間で、充填開始スイッチ４８が操作されたタイミングでガスの充填を順次完了させることができる。また、判定部４５（判定手段）は、相対する各ガス供給路５、６、７（分岐路）の１次圧力に基づき他のディスペンサユニット（８、９、１０）が充填中であるか否かを判定する（充填開始／充填完了を判知する）ことができるので、例えば、新規にディスペンサユニットを追加する場合であっても、新規ディスペンサユニットの出力信号をとる必要がないので、ディスペンサユニットの追加が容易で、且つ製造コストも安価で済ませることができる。
【００３２】
なお、実施形態は上記に限定されるものではなく、例えば次のように構成してもよい。
カウンタ４６のカウントアップ速度とカウントダウン速度は同一でなくてもよい。例えば、カウンタ４６のカウントダウン速度をカウントアップ速度よりも高く設定することで、ディスペンサユニット８による充填が完了してから次のディスペンサユニット９あるいは１０による充填が開始されるまでの時間を短縮することができ、稼働率を向上させることが可能になる。
【図面の簡単な説明】
【００３３】
【図１】本実施形態のガス供給装置の全体図である。
【図２】本実施形態のガス供給装置の概略構成を示す図である。
【図３】本実施形態のガス供給装置の制御装置の概略構成を示すブロック図である。
【図４】本実施形態のガス供給装置のディスペンサユニットのフローチャート図である。
【図５】本実施形態のガス供給装置のタイムチャート図である。
【符号の説明】
【００３４】
１  ガス供給装置、２  ガス蓄圧部（ガス蓄圧手段）、３  ガス供給路、４  分岐部、５、６、７  ガス供給路（分岐路）、８、９、１０  ディスペンサユニット、１８  １次圧力センサ（測定手段）、２１  制御弁、４４  算出部（算出手段）、４５  判定部（判定手段）、４６  カウンタ、４８  充填開始スイッチ
【図１】
2010053882.tif 000003
【図２】
2010053882.tif 000004
【図３】
2010053882.tif 000005
【図４】
2010053882.tif 000006
【図５】
2010053882.tif 000007